(57)【要約】      （修正有）【課題】文字枠を使って適切な位置及び大きさで氏名を記載する練習ができる筆記練習用具を提供する。【解決手段】筆記練習用具１０は、のし袋に設置される短冊用であって、縦方向のサイズが短冊と同一サイズであり、短冊において氏名が記載される氏名記載領域に対応する下部領域１８に、複数の文字数を記載することが想定された文字枠２０が設けられている。【選択図】図２
0003201324.tif 000002
【実用新案登録請求の範囲】
【請求項１】
のし袋に設置される短冊用の筆記練習用具であって、
縦方向のサイズが前記短冊と同一サイズであり、
前記短冊において氏名が記載される氏名記載領域に対応する下部領域に、複数の文字数を記載することが想定された文字枠が設けられている
ことを特徴とする筆記練習用具。
【請求項２】
前記文字枠には、
記載が想定される文字数ごとに設定された分割線によって、文字を書くべき位置が指示されている
ことを特徴とする請求項１に記載の筆記練習用具。
【請求項３】
前記文字枠は、
横方向に複数並べて配置されている
ことを特徴とする請求項２に記載の筆記練習用具。
【請求項４】
前記文字枠は、
一つの文字枠の中に重複して設けられている
ことを特徴とする請求項３に記載の筆記練習用具。
【請求項５】
前記分割線は、
文字数ごとに線種が相違して設けられる
ことを特徴とする請求項４に記載の筆記練習用具。
【請求項６】
前記分割線は、
文字数ごとに色が相違して設けられる
ことを特徴とする請求項４のいずれかに記載の筆記練習用具。
【請求項７】
前記分割線は、
文字数ごとのマークが付加されている
ことを特徴とする請求項４のいずれかに記載の筆記練習用具。
【請求項８】
前記文字枠の近傍には、
文字枠に対応する文字数が記載され、
当該記載された文字数には、
文字数ごとの識別情報が付記されている
ことを特徴とする請求項５〜７のいずれかに記載の筆記練習用具。
【請求項９】
前記分割線は、
文字数ごとに横方向の長さが相違して設けられる
ことを特徴とする請求項５〜８のいずれかに記載の筆記練習用具。
【請求項１０】
前記分割線と垂直方向に、
前記文字枠の中心を分割する中心線が設けられている
ことを特徴とする請求項１〜９のいずれかに記載の筆記練習用具。
【考案の詳細な説明】
【技術分野】
【０００１】
本考案は筆記練習用具に関し、例えば短冊に名前を書くときに使用される筆記練習用具に適用して好適な物である。
【背景技術】
【０００２】
従来、のし袋としては、矩形状の紙を２方向から３つ折りにして内袋を内包し、水引きで留めたものが一般的である（例えば特許文献１参照）。この水引に差し込むようにして、贈り主の名前を記載した縦長の紙である「短冊」が配置されることにより、贈り主がわかるようになされている。
【０００３】
この「短冊」には、毛筆が使われることが一般的であることから、贈り主が毛筆を用いて自身の名前を記載するケースが多い。
【０００４】
【特許文献１】特許第４６０２４６４号
【考案の概要】
【考案が解決しようとする課題】
【０００５】
しかしながら、最近は毛筆を使用する機会が少ないこと、「短冊」における名前を記載する部分が無地であることから、「短冊」に名前を記載することに苦手意識をもつユーザが多くなっている。
【０００６】
本考案は以上の点を考慮してなされたもので、「短冊」に対して名前を記載する練習ができる筆記練習用具を提供するものである。
【課題を解決するための手段】
【０００７】
かかる課題を解決するため本考案の筆記練習用具は、のし袋に設置される短冊用であって、
縦方向のサイズが前記短冊と同一サイズであり、
前記短冊において氏名が記載される氏名記載領域に対応する下部領域に、複数の文字数を記載することが想定された文字枠が設けられていることを特徴とする。
【考案の効果】
【０００８】
本考案によれば、文字枠を使って適切な位置及び大きさで氏名を記載する練習ができる筆記練習用具を提供できる。
【図面の簡単な説明】
【０００９】
【図１】のし袋及び短冊の構成を示す略線図である。
【図２】筆記練習用具の構成を示す略線図である。
【図３】筆記練習用具の使用方法の説明（１）に供する略線図である。
【図４】筆記練習用具の使用方法の説明（２）に供する略線図である。
【図５】のし袋への短冊の設置の説明に供する略線図である。
【図６】他の実施の形態による筆記練習用具の構成（１）を示す略線図である。
【図７】他の実施の形態による筆記練習用具の構成（２）を示す略線図である。
【図８】他の実施の形態による筆記練習用具の構成（３）を示す略線図である。
【考案を実施するための形態】
【００１０】
以下、図面について、本考案の一実施の形態を詳述する。
【００１１】
図１に示すように、のし袋１は、縦×横が１８．６ｃｍ×１１．０ｃｍのものが最も一般的であるが、１９ｃｍ×１２ｃｍ、２１．５ｃｍ×１４ｃｍ程度のものが使用される場合もある。短冊は、縦はのし袋１のサイズ−（マイナス）０．０〜０．３ｃｍ、横は２．５ｃｍ〜４ｃｍの短冊状のものが使用されることが多い。
【００１２】
図１に示すように、一般的な短冊５では、水引き２よりも上部分となる上部領域６に「ご祝儀」「寿」「出産祝」など、金銭を贈ることになった対象となるイベントや対応する祝言葉などが記載される。また、中心部分となる中心領域７は、水引きの下になるため、何も記載されない。そして水引き２よりも下部分となる下部領域８には、贈り主の名前が記載される。
【００１３】
図２に示すように、本考案の筆記練習用具１０は、縦のサイズが短冊と同一である。筆記練習用具１０の上部領域１６には、例えば「名前試し書きシート」や「お名前お試しシート」、「お試しシート」など、試し書き用のシートである旨が記載され、さらに上部領域１６から中心領域１７にかけて「本体に名前を書く前のお試しシートです。字数別に枠を設けていますのでご使用ください。」というように、本筆記練習用具１０の使用方法が簡易的に記載されている。
【００１４】
下部領域１８には、３つの文字枠２０ａ〜２０ｃが設けられている。文字枠２０ａは、下部領域１８における縦方向を３分割するように分割線２０ａｘが設けられている。文字枠２０ｂは、下部領域１８における縦方向を４分割するように分割線２０ｂｘが設けられている。文字枠２０ｃは、下部領域１８における縦方向を５分割するように分割線２０ｃｚｘが設けられている。
【００１５】
ここで、日本人の氏名は、３文字〜５文字の場合が大多数である。従って、図３に示すように、ユーザは文字枠２０ａ〜２０ｃのうち、自分の氏名の字数に応じた文字枠２０を選択し、自分の氏名を書き込むことができる。
【００１６】
上述したように、文字枠２０は、下部領域１８を均等に分割しているため、この文字枠２０内に氏名を記入することにより、良好な位置及びサイズで氏名を記入することができる。
【００１７】
そして図４に示すように、縦方向の位置を合わせた状態で氏名を書き込んだ文字枠２０の近傍に短冊５を載置し、筆記練習用具１０に記載された氏名を真似るようにしてユーザが氏名を書き込む。
【００１８】
これにより、短冊５に対しても良好な位置及びサイズで氏名を記入することができ、図５に示すように、短冊５をのし袋１にセットすると、水引き２によって名前が隠されることなく、のし袋１全体として、バランスの非常に良好な氏名が記載された状態にすることができる。
【００１９】
また、筆記練習用具１１０としては、例えば図６に示すように、短冊５とほぼ同一サイズとし、複数の文字枠１２０ａ〜１２０ｃを重複して設けるようにしても良い。この場合、各文字枠１２０ａ〜１２０ｃにおける分割線１２０ａｘ〜１２０ｃｘは、線種を変えて表示される。
【００２０】
例えば、文字枠１２０ａは、３分割されているため、２本の分割線１２０ａｘを有しており、２本とも破線（大）として記載されている。文字枠１２０ｂは、４分割されているため、３本の分割線１２０ｂｘを有しており、３本とも実線として記載されている。文字枠１２０ｃは、５分割されているため、４本の分割線１２０ｃｘを有しており、４本とも破線（小）として記載されている。
【００２１】
また、中心領域１７には、文字数と対応する線種との組み合わせが表示されている。従って、ユーザは、自分の氏名の文字数に合う線種をのみを見ながら氏名を書くことにより、良好なバランスで文字枠１２０内に氏名を記載することができる。
【００２２】
すなわち、筆記練習用具１１０では、各文字枠１２０ａ〜１２０ｃでは、分割線１２０ａｘ〜１２０ｃｘの線種を文字枠１２０ａ〜１２０ｃごとに相違させると共に、線種に対応する文字数を表記するようにした。
【００２３】
なお、同様にして文字枠１２０ａ〜１２０ｃごとに分割線１２０ａｘ〜１２０ｃｘの色を変化させるようにしても良い。この場合、対応する文字数（３文字、４文字、５文字の表記）の色を分割線１２０ａｘ〜１２０ｃｘと同じ色にすることが好ましい。
【００２４】
また、図７に示すように、筆記練習用具２１０では、分割線２２０ａｘ〜２２０ｃｘの長さを変化させたり、分割線２２０ｂｘ及び２２０ｃｘに対して、識別用のマーク２２０ｂｙ及び２２０ｃｙを付加することも可能である。さらに、図８に示す短冊１１０Ｗように、氏名を記載するときの指標となるように、縦方向に文字枠１２０を分割する中心線１２１を設けても良い。
【００２５】
以上の構成によれば、本発明の筆記練習用具は、
のし袋に設置される短冊（短冊５）用であって、
縦方向のサイズが前記短冊と同一サイズであり、
前記短冊において氏名が記載される氏名記載領域（下部領域８）に対応する下部領域（下部領域１８）に、複数の文字数を記載することが想定された文字枠（文字枠２０）が設けられていることを特徴とする。
【００２６】
これにより、筆記練習用具は、文字枠を使って適切な位置及び大きさで氏名を記載する練習ができると共に、筆記練習用具に記載した氏名をお手本にして、実際の短冊に氏名を記載することができるため、誰でも簡単に適切な位置や文字サイズで氏名を記載することが可能となる。
【００２７】
前記文字枠には、
記載が想定される文字数ごとに設定された分割線（分割線２０ａｘ）によって、文字を書くべき位置が指示されていることを特徴とする。
【００２８】
これにより、筆記練習用具では、書き始めの位置だけでなく、文字の配置やサイズなどをわかりやすく示すことができる。
【００２９】
筆記練習用具において、前記文字枠は、
横方向に複数並べて配置されていることを特徴とする。
【００３０】
これにより、筆記練習用具では、文字数ごとにわかりやすく文字枠を示すことができる。
【００３１】
筆記練習用具において、前記文字枠は、
一つの文字枠の中に重複して設けられていることを特徴とする。
【００３２】
これにより、限られたスペースの中に複数の文字枠を設けることができる。
【００３３】
筆記練習用具において、前記分割線は、
文字数ごとに線種が相違して設けられることを特徴とする。
【００３４】
これにより、限られたスペースの中に複数の文字枠を設けると共に、文字数ごとの文字枠をユーザに認識させ易くできる。
【００３５】
筆記練習用具において、前記分割線は、
文字数ごとに色が相違して設けられることを特徴とする。
【００３６】
これにより、限られたスペースの中に複数の文字枠を設けると共に、文字数ごとの文字枠をユーザに認識させ易くできる。
【００３７】
筆記練習用具において、前記分割線は、
文字数ごとのマークが付加されていることを特徴とする。
【００３８】
これにより、限られたスペースの中に複数の文字枠を設けると共に、文字数ごとの文字枠をユーザに認識させ易くできる。
【００３９】
筆記練習用具において、前記文字枠の近傍には、
文字枠に対応する文字数が記載され、
当該記載された文字数には、
文字数ごとの識別情報（マーク２２０ｂｙ〜２２０ｃｙ）が付記されていることを特徴とする。
【００４０】
これにより、限られたスペースの中に複数の文字枠を設けると共に、文字数ごとの文字枠をユーザに認識させ易くできる。
【００４１】
前記分割線は、
文字数ごとに横方向の長さが相違して設けられることを特徴とする。
【００４２】
これにより、限られたスペースの中に複数の文字枠を設けると共に、文字数ごとの文字枠をユーザに認識させ易くできる。
【産業上の利用可能性】
【００４３】
本考案は、例えばのし袋にセットされる短冊用の筆記練習用具として利用することができる。
【符号の説明】
【００４４】
１          ：のし袋
２          ：水引き
５          ：短冊
６          ：上部領域
７          ：中心領域
８          ：下部領域
１０、１１０、２１０  ：筆記練習用具
１６        ：上部領域
１７        ：中心領域
１８        ：下部領域
２０、１２０、２２０        ：文字枠
２０ａ、１２０ａ、２２０ａ  ：文字枠
２０ａｘ〜２０ｃｘ、１２０ａｘ〜１２０ｃｘ、２２０ａｘ〜２２０ｃｘ：分割線
２２０ｂｙ、２２０ｃｙ  ：マーク
【図１】
0003201324.tif 000003
【図２】
0003201324.tif 000004
【図３】
0003201324.tif 000005
【図４】
0003201324.tif 000006
【図５】
0003201324.tif 000007
【図６】
0003201324.tif 000008
【図７】
0003201324.tif 000009
【図８】
0003201324.tif 000010